(57)【特許請求の範囲】
【請求項１】
使用中異なる圧力で保持され、両方のチャンバが真空チャンバを有し、前記チャンバを前記異なる圧力で保持するため真空ポンプに接合され、２つの前記チャンバが、前記チャンバのうちの１つから他の前記チャンバにイオンを伝送するため穴により相互接続される２つのチャンバと、
使用中前記穴および前記チャンバ間を通るガス流量を変化させるように、前記穴の領域を変化させる第１の装置と、
前記穴へおよび前記穴を通してイオンを発するイオン貯蔵装置であって、前記穴が相対的に広い領域であるとき、イオンが前記穴を通して発せられ、前記穴が相対的に小さい領域である、または閉鎖されているとき、イオンがイオン貯蔵装置内に蓄積され、前記穴を通して発せられないように前記穴と同期されるイオン貯蔵装置と
を備える、質量スペクトロメータ。
【請求項２】
前記穴が広い領域を有するとき、前記穴へ、および前記穴を通してイオンが伝送され、前記穴が相対的に小さい領域を有するとき、前記穴への、および前記穴を通したイオンの伝送が妨げられるように前記質量スペクトロメータが構成される、請求項１に記載の質量スペクトロメータ。
【請求項３】
前記穴の領域が広いとき前記チャンバ間の大量のガス流量を可能にし、前記穴の領域が小さいとき前記チャンバ間の少量のガス流量を可能にする、請求項１または２に記載の質量スペクトロメータ。
【請求項４】
第１の時間に前記チャンバ間のガスの流動を可能にするように前記穴の領域が設定され、第２の時間に前記チャンバ間のガスの通過を実質的に妨げるよう、前記穴が閉鎖または縮小されるように、前記穴の領域を変化させるよう前記質量スペクトロメータが構成される、請求項１〜３のいずれか一項に記載の質量スペクトロメータ。
【請求項５】
前記穴の領域が、繰り返し拡大および縮小される、請求項１〜４のいずれか一項に記載の質量スペクトロメータ。
【請求項６】
前記穴の領域が、連続したまたは周期的な方法で繰り返し拡大および縮小される、請求項５に記載の質量スペクトロメータ。
【請求項７】
イオンが前記穴を通しておよび前記他のチャンバ内へ通過するように、イオンを前記穴へ誘導または集束するよう用意される、前記チャンバのうちの１つの中にイオンガイドをさらに備える、請求項１〜６のいずれか一項に記載の質量スペクトロメータ。
【請求項８】
前記２つのチャンバが壁によって離隔され、前記穴が前記壁内にオリフィスを備える、請求項１〜７のいずれか一項に記載の質量スペクトロメータ。
【請求項９】
前記壁が通常均一の厚さを有するが、その一部で減少した厚さを有し、前記オリフィスが前記減少した厚さを有する前記壁の前記一部を貫通して設けられる、請求項８に記載の質量スペクトロメータ。
【請求項１０】
前記穴が絞りによって提供され、前記絞り内の前記穴が直径において変動可能である、請求項１〜９のいずれか一項に記載の質量スペクトロメータ。
【請求項１１】
前記穴が変形可能な導管により設けられ、前記導管は前記導管を通る前記穴の領域を縮小するように圧縮可能または変形可能である、請求項１〜９のいずれか一項に記載の質量スペクトロメータ。
【請求項１２】
穴およびチャンバ間を通るガス流量を変化させるように、前記穴の領域を変化させるステップと、
前記穴へおよび前記穴を通してイオンを発するイオン貯蔵装置を提供するステップと、
前記穴が相対的に広い領域であるとき、前記穴を通してイオンを輸送するステップと、
前記穴が相対的に小さい領域である、または閉鎖されているとき、イオンを前記イオン貯蔵装置内に蓄積するステップと、を含む、
両方の前記チャンバが、真空チャンバを有し、前記チャンバを異なる圧力で保持するため真空ポンプに接合され、２つの前記チャンバが、前記チャンバのうちの１つから他の前記チャンバにイオンを伝送するため前記穴により相互接続される、異なる圧力で保持される質量スペクトロメータ内の２つのチャンバの間のガスの流動を制御する方法。
【発明の詳細な説明】
【技術分野】
【０００１】
本発明は、質量スペクトロメータ内の２つのチャンバの間のガスの流動を制御する機器および方法に関する。実施形態によると、１つまたは両方のチャンバは、真空チャンバを含んでもよい。
【０００２】
本出願は、２０１１年６月１５日出願の米国仮特許出願番号第ＵＳ６１／４９７，３００号、および２０１１年６月３日出願の英国特許出願第１１０９３８３．８号の優先権および受益を主張する。これらの出願の全体の内容は、参照により本明細書に組み込まれる。
【背景技術】
【０００３】
質量スペクトロメータは、異なる真空レベルの異なる区域またはチャンバをしばしば有する。例えば、質量スペクトロメータは、約１ｘ１０−５ｍｂａｒの圧力でチャンバ内に存在し、約１ｘ１０−３ｍｂａｒから約１ｘ１０−２ｍｂａｒの圧力で衝突セルが続く、四重極質量フィルタ（”ＱＭＦ”）を備えてもよい。これに順に、１ｘ１０−６ｍｂａｒ未満の圧力で作動されうる飛行時間型（”ＴＯＦ”）質量分析計が続く。
【発明の概要】
【発明が解決しようとする課題】
【０００４】
これらの異なる区域の間に、通常、穴または差動ポンピング開口部があり、これは１つのチャンバから他へのガスの流動を制限するようはたらき、イオンが質量スペクトロメータを移動する場合、これを通過しなければならない。イオンがオリフィスを通過するときイオン伝送の損失を最小化するように、これらの穴は一般的にできるだけ薄く、通常０．５ｍｍから１．０ｍｍで製造される。穴が厚いほど、いくばくかの量のイオンがオリフィスを通過するとき穴の内壁に当たり失われる可能性が増える。
【０００５】
穴のサイズ（すなわち円形の穴の直径またはスリットの長さ）を小さくすると、それを通るガスの流量が減り、それが次に異なる区域で所望の圧力を維持するのに必要とされる真空ポンピングの量を減らす。真空チャンバ間の圧力差が大きく、よってガスの流動が多い、または小型の軽量または持ち運び可能な器具が所望される状況では、これは特に重要である。しかし、オリフィスのサイズの縮小は、それを通るイオンの集束をより困難にする。これはイオンがもはやオリフィスを通過できない状況につながりかねず、それが今度は伝送を減少させ、よって質量スペクトロメータの感度を減少させる。
【０００６】
大気から質量スペクトロメータの最初の真空チャンバ内へのガスの流量を減少させるためのバルブの使用が公知である。
【０００７】
質量スペクトロメータおよび質量分析の方法の向上をもたらすことが望まれる。
【課題を解決するための手段】
【０００８】
本発明の態様によると、使用中異なる圧力で保持され、チャンバのうちの１つから他のチャンバにイオンを伝送するため穴により相互接続される２つのチャンバと、使用中穴を通る流量およびチャンバ間の流量を変化させるように、穴の領域を変化させる手段または第１の装置とを備える、質量スペクトロメータが提供される。
【０００９】
少なくとも１つまたは両方のチャンバは、チャンバを異なる圧力で保持するため、真空ポンプに接合されることが望ましい。１つまたは両方のチャンバは、真空チャンバを含むことが望ましい。しかし、１つまたは両方のチャンバが真空チャンバ内にハウジングを有する、他の望ましさがより少ない実施形態が考えられる。例えば、本発明の実施形態による装置を、イオン移動度スペクトロメータへの入口、および／または真空チャンバ内に設置されたガス衝突セルまたは反応セルに設置してもよい。
【００１０】
望ましい実施形態によると、穴は２つの真空チャンバの間に差動ポンピング開口部を備える。実施形態によると、穴は２つのチャンバの間のガス制限開口部を備える。
【００１１】
質量スペクトロメータは、穴が広い領域を有するとき、穴へ、および穴を通してイオンが伝送され、穴が相対的に小さい領域を有するとき、穴への、および穴を通したイオンの伝送が妨げられるように構成されるのが望ましい。
【００１２】
穴の領域が広いときチャンバ間の大量のガス流量を可能にするのが望ましく、穴の領域が小さいときチャンバ間の少量のガス流量を可能にするのが望ましい。
【００１３】
第１の時間にチャンバ間のガスの流動を可能にするように望ましくは穴の領域が設定され、第２の時間にチャンバ間のガスの通過を実質的に妨げまたは減少させるよう、穴が望ましくは閉鎖または縮小されるように、穴の領域を変化させるよう構成されるのが望ましい。
【００１４】
穴の領域が、繰り返し拡大および縮小または変化させられるのが望ましい。
【００１５】
穴の領域が、連続したまたは周期的な方法で繰り返し拡大および縮小または変化させられるのが望ましい。
【００１６】
質量スペクトロメータが、イオンが穴を通しておよび他のチャンバ内へ通過するように、望ましくはイオンを穴へ誘導または集束するよう用意される、チャンバのうちの１つの中のイオンガイドをさらに備えるのが望ましい。
【００１７】
質量スペクトロメータが、穴へおよび穴を通してイオンを発する第２の装置を備えることが望ましい。第２の装置は、穴が相対的に広い領域であるとき、イオンが穴を通して発せられ、穴が相対的に広い領域である、または閉鎖されているとき、イオンが望ましくは穴を通して発せられないように穴と同期されるのが望ましい。
【００１８】
第２の装置は、パルスイオン源またはイオントラップを備えるのが望ましい。
【００１９】
２つのチャンバは、壁によって離隔されるのが望ましく、穴が壁内にオリフィスを備えるのが望ましい。
【００２０】
壁は通常、均一の厚さを有するのが望ましいが、その一部で減少した厚さを有するのが望ましく、オリフィスが前記減少した厚さを有する壁の一部を貫通して設けられるのが望ましい。
【００２１】
穴がチャンバ間の壁内にオリフィスを備えるのが望ましく、質量スペクトロメータがさらにオリフィス閉鎖部材を備えるのが望ましく、量を変化させることによりオリフィスを覆い、従って変化する量に対応することにより穴の領域を変更するように、オリフィス閉鎖部材がオリフィスに対して移動可能である。
【００２２】
オリフィス閉鎖部材は、プレートにより形成されるのが望ましい。
【００２３】
オリフィス閉鎖部材が少なくとも１つの開口部および非開口部分を備えるのが望ましく、穴の領域を拡大するように開口部が相対的によりオリフィスと整列される位置と、穴の領域を縮小するように開口部がよりオリフィスと整列されない異なる位置との間を移動可能であるように、オリフィス閉鎖部材が用意および適合される。
【００２４】
オリフィス閉鎖部材が少なくとも１つの開口部および非開口部分を備えるのが望ましく、穴を閉鎖するように非開口部分がオリフィスを覆う位置と、ガスおよび／またはイオンが穴を通過できるように、開口部がオリフィスと少なくとも部分的に整列される異なる位置との間を移動可能であるように、オリフィス閉鎖部材が用意および適合される。
【００２５】
オリフィス閉鎖部材は、位置へ回転されまたは回転可能であることが望ましい。実施形態によると、位置の間を移動するように、オリフィス閉鎖部材を連続したまたは段階的方法で軸の周辺を回転してもよい。
【００２６】
他の実施形態によると、穴が絞りによって提供され、絞り内の穴が直径において変動可能である。
【００２７】
他の実施形態によると、穴が変形可能な導管により設けられ、導管は導管を通る穴の領域を縮小するように圧縮可能または変形可能である。
【００２８】
本発明の態様によると、穴およびチャンバ間を通るガス流量を変化させるように、穴の領域を変化させるステップを含む、２つのチャンバが、チャンバのうちの１つから他のチャンバにイオンを伝送するため穴により相互接続される、異なる圧力で保持される質量スペクトロメータ内の２つのチャンバの間のガスの流動を制御する方法が提供される。
【００２９】
本発明は、前述の方法を含む質量分析方法も提供する。
【００３０】
実施形態によると、質量スペクトロメータはさらに、下記を有してもよい。（ａ）（ｉ）エレクトロスプレーイオン化（”ＥＳＩ”）イオン源、（ｉｉ）大気圧光イオン化（”ＡＰＰＩ”）イオン源、（ｉｉｉ）大気圧化学イオン化（”ＡＰＣＩ”）イオン源、（ｉｖ）マトリックス支援レーザ脱離イオン化（”ＭＡＬＤＩ”）イオン源、（ｖ）レーザ脱離イオン化（”ＬＤＩ”）イオン源、（ｖｉ）大気圧イオン化（”ＡＰＩ”）イオン源、（ｖｉｉ）シリコンを用いた脱離イオン化（”ＤＩＯＳ”）イオン源、（ｖｉｉｉ）電子衝撃（”Ｅｌ”）イオン源、（ｉｘ）化学イオン化（”ＣＩ”）イオン源、（ｘ）電界イオン化（”Ｆｌ”）イオン源、（ｘｉ）電界脱離（”ＦＤ”）イオン源、（ｘｉｉ）誘導結合プラズマプラズマ（”ＩＣＰ”）イオン源、（ｘｉｉｉ）高速原子衝撃（”ＦＡＢ”）イオン源、（ｘｉｖ）液体二次イオン質量分析（”ＬＳＩＭＳ”）イオン源、（ｘｖ）脱離エレクトロスプレーイオン化（”ＤＥＳＩ”）イオン源、（ｘｖｉ）ニッケル−６３放射線イオン源、（ｘｖｉｉ）大気圧マトリックス支援レーザ脱離イオン化イオン源、（ｘｖｉｉｉ）サーモスプレーイオン源、（ｘｉｘ）大気サンプリンググロー放電イオン化（”ＡＳＧＤＩ”）イオン源、および（ｘｘ）グロー放電（”ＧＤ”）イオン源からなる群から選択されるイオン源、および／または（ｂ）１つまたは複数の連続したまたはパルスイオン源、および／または（ｃ）１つまたは複数のイオンガイド、および／または（ｄ）１つまたは複数のイオン移動分離装置、および／または１つまたは複数の電界非対称イオン移動度スペクトロメータ装置、および／または（ｅ）１つまたは複数のイオントラップ、または１つまたは複数のイオントラッピング区域、および／または（ｆ）（ｉ）衝突誘起解離（”ＣＩＤ”）断片化装置、（ｉｉ）表面誘起解離（”ＳＩＤ”）断片化装置、（ｉｉｉ）電子移動解離（”ＥＴＤ”）断片化装置、（ｉｖ）電子捕捉解離（”ＥＣＤ”）断片化装置、（ｖ）電子衝突または電子衝撃解離断片化装置、
（ｖｉ）光誘起解離（”ＰＩＤ”）断片化装置、（ｖｉｉ）レーザ誘起解離断片化装置、（ｖｉｉｉ）赤外線誘起解離装置、（ｉｘ）紫外線誘起解離装置、（ｘ）ノズルスキマーインタフェース断片化装置、（ｘｉ）インソース断片化装置、（ｘｉｉ）インソース衝突誘起解離断片化装置、（ｘｉｉｉ）熱または温度源断片化装置、（ｘｉｖ）電界誘起断片化装置、（ｘｖ）磁界誘起断片化装置、（ｘｖｉ）酵素切断または酵素分解断片化装置、（ｘｖｉｉ）イオン−イオン反応断片化装置、（ｘｖｉｉｉ）イオン−分子反応断片化装置、（ｘｉｘ）イオン−原子反応断片化装置、（ｘｘ）イオン−準安定イオン反応断片化装置、（ｘｘｉ）イオン−準安定分子反応断片化装置、（ｘｘｉｉ）イオン−準安定原子反応断片化装置、（ｘｘｉｉｉ）付加イオンまたは生成物イオンを形成するためのイオン反応のイオン−イオン反応装置、（ｘｘｉｖ）付加イオンまたは生成物イオンを形成するためのイオン反応のイオン−分子反応装置、（ｘｘｖ）付加イオンまたは生成物イオンを形成するためのイオン反応のイオン−原子反応装置、（ｘｘｖｉ）付加イオンまたは生成物イオンを形成するためのイオン反応のイオン−準安定イオン反応装置、（ｘｘｖｉｉ）付加イオンまたは生成物イオンを形成するためのイオン反応のイオン−準安定分子反応装置、（ｘｘｖｉｉｉ）付加イオンまたは生成物イオンを形成するためのイオン反応のイオン−準安定原子反応装置、および（ｘｘｉｘ）電子イオン化解離（”ＥＩＤ”）断片化装置からなる群から選択される１つまたは複数の衝突セル、断片化セル、または反応セル、および／または（ｇ）（ｉ）四重極質量分析計、（ｉｉ）２Ｄまたは直線状四重極質量分析計、（ｉｉｉ）ポールまたは３Ｄ四重極質量分析計、（ｉｖ）ペニングトラップ質量分析計、（ｖ）イオントラップ質量分析計、（ｖｉ）磁場型質量分析計、（ｖｉｉ）イオンサイクロトロン共鳴（”ＩＣＲ”）質量分析計、（ｖｉｉｉ）フーリエ変換イオンサイクロトロン共鳴（”ＦＴＩＣＲ”）質量分析計、（ｉｘ）静電気またはオービトラップ質量分析計、（ｘ）フーリエ変換静電気またはオービトラップ質量分析計、（ｘｉ）フーリエ変換質量分析計、（ｘｉｉ）飛行時間型質量分析計、（ｘｉｉｉ）直交加速飛行時間型質量分析計、および（ｘｉｖ）線形加速飛行時間型質量分析計からなる群から選択される質量分析計、および／または（ｈ）１つまたは複数のエネルギー分析器または静電エネルギー分析器、および／または（ｉ）１つまたは複数のイオン検出器、および／または（ｊ）（ｉ）四重極質量フィルタ、（ｉｉ）２Ｄまたは直線状四重極イオントラップ、（ｉｉｉ）ポールまたは３Ｄ四重極イオントラップ、（ｉｖ）ぺニングイオントラップ、（ｖ）イオントラップ、（ｖｉ）磁場型質量フィルタ、（ｖｉｉ）飛行時間型質量フィルタ、および（ｖｉｉｉ）ウイーンフィルタからなる群から選択される１つまたは複数の質量フィルタ、および／または（ｋ）イオンパルス化装置またはイオンゲート、および／または（Ｉ）実質的に連続したイオンビームをパルスイオンビームに変換する装置。
【００３１】
質量スペクトロメータはさらに、下記のいずれかを有してもよい。（ｉ）外側の樽状の電極および同軸の内側のスピンドル状の電極を備え、動作の第１の様式でイオンがＣトラップに伝送され、それからオービトラップ（ＲＴＭ）質量分析計に注入され、動作の第２の様式でイオンがＣトラップに伝送され、それから衝突セルまたは電子移動解離装置に伝送され、少なくともいくばくかの量のイオンが断片イオンに断片化され、断片イオンがそれからオービトラップ（ＲＴＭ）質量分析計に注入される前にＣトラップに伝送される、Ｃトラップおよびオービトラップ（ＲＴＭ）質量分析計、および／または（ｉｉ）複数の電極を備え、それぞれが開口部を有し、それを通して使用中イオンが伝送され、イオンパスの長さに沿って電極の離間が増加し、イオンガイドの上流区域内の電極の開口部が第１の直径を有し、イオンガイドの下流区域内の電極の開口部が第１の直径より小さい第２の直径を有し、使用中ＡＣまたはＲＦ電圧の逆相が連続する電極に印加される、積層リングイオンガイド。
【００３２】
質量スペクトロメータの２つ以上の真空区域を離隔する穴を生成し、穴の物理的寸法が時間と共に変化されうるのが、望ましい実施形態の目的である。これは、穴を通る時間平均ガス流量の減少を可能にする。
【００３３】
望ましい実施形態の付加的な特徴は、可能な限り薄い穴を提供することである。
【００３４】
本発明の望ましい実施形態で、イオントラップのようなイオン貯蔵装置が穴の上流に設けられることが望ましい。イオン貯蔵装置を、穴が開放されているまたは最大寸法のときに穴を通してイオンを輸送し、穴が閉鎖されているまたは寸法が縮小したときにイオンを蓄積、またはそうでなければ通過を防ぐよう使用してもよい。
【００３５】
例示のみの目的で、種々の本発明の実施形態を、例示の目的のための他の取り合わせと共に以下の添付の図を参照して記載する。
【図面の簡単な説明】
【００３６】
【図１Ａ】質量スペクトロメータの従来のスキマー電極の穴の断面を示す。
【図１Ｂ】質量スペクトロメータの従来の差動ポンピング開口部の穴の断面を示す。
【図１Ｃ】質量スペクトロメータの従来のサンプリングオリフィスの開口部の断面を示す。
【図２Ａ】穴が薄いオリフィスプレートを有し、穴の領域が短いスロットがある回転ディスクを用いて変化し、ディスク内のスロットが穴と整列される本発明の実施形態を示す。
【図２Ｂ】穴が薄いオリフィスプレートを有し、穴の領域が短いスロットがある回転ディスクを用いて変化し、ディスク内のスロットが穴と整列されない本発明の実施形態を示す。
【図３Ａ】本発明の実施形態による、使用されうる円形の穴を有する回転ディスクの例を示す。
【図３Ｂ】本発明の実施形態による、使用されうる短いスロットを有する回転ディスクの例を示す。
【図３Ｃ】本発明の実施形態による、使用されうる長いスロットを有する回転ディスクの例を示す。
【図３Ｄ】本発明の実施形態による、使用されうる複数のスロットを有する回転ディスクの例を示す。
【図４】望ましい装置が２つの真空チャンバの間に差動ポンピング開口部を形成し、イオントラップが上流の真空チャンバ内に設置され、四重極ロッドセットが下流の真空チャンバ内に設置される実施形態を示す。
【発明を実施するための形態】
【００３７】
種々の異なるタイプの従来のイオン吸込口を、図１Ａ〜図１Ｃを参照して簡潔に記載する。図１Ａは、真空ハウジング２に据え付けられた従来のスキマー電極１の断面を示す。図１Ｂは、真空ハウジング２に据え付けられた従来の差動ポンピング開口部３を示す。図１Ｃは、真空ハウジング２に据え付けられた従来のサンプリングオリフィス４を示す。これらの開口部のコンダクタンス、および従って開口部を通るガスの流量は、その半径ならびに深さ／厚さに依存する。
【００３８】
本発明の望ましい実施形態を記載する。
【００３９】
本発明の望ましい実施形態によれば、図２Ａに示されるようにオリフィス５ａを有する薄いプレート５を設けることが望ましい。１つのチャンバから他のチャンバへのガスの流動のみがオリフィス５ａを経由して薄いプレート５内にもたらされるように、薄いプレート５は、真空チャンバ６に向かって据え付けることが望ましい。オリフィス５ａが真空チャンバ内のハウジングへの入口に設けられる望ましさが少ない実施形態が考えられるが、オリフィス５ａは差動ポンピング開口部を備えることが望ましい。例えば、オリフィス５ａをイオン移動度スペクトロメータへの入口、または真空チャンバ内に設置された衝突ガスセルに設けてもよい。従って、オリフィス５ａが２つの真空チャンバを離隔し、それぞれの真空チャンバが真空ポンプでポンピングされることは重要ではない。
【００４０】
スピン／回転ディスク７を、薄いプレート５および真空チャンバ６を備える構体と連通して設けることが望ましい。スピン／回転ディスク７は、スロットの形態が望ましい短い開口部７ａを有することが望ましい。
【００４１】
図２Ａは、オリフィス５ａにより形成された差動ポンピング開口部を通してイオンが伝送されうるように、回転ディスク７内のスロット７ａが薄いプレート５内のオリフィス５ａと整列した時点の望ましい実施形態を示す。
【００４２】
図２Ｂは、薄いプレート５内のオリフィス５ａが回転ディスク７の非開口部分により閉鎖された時点の望ましい実施形態を示す。回転ディスク７内のスロット７ａと薄いプレート５内のオリフィス５ａが実質的に整列するときのみ、ガスが１つのチャンバから次へオリフィス５ａを通過可能であることが明らかである。
【００４３】
薄いプレート５内のオリフィス５ａが回転ディスク７により閉鎖されるとき、薄いプレート５内のオリフィス５ａを通したガスの流動は不可能である。従って、開口ディスク７を回転することにより、チャンバ間のオリフィス５ａを通る平均ガス流量を減少させ、よって真空ポンプの必要を減らすことが可能である。
【００４４】
開口ディスク７が図２Ａおよび図２Ｂに示された以外の形状を取りうる、種々の実施形態が考えられる。開口ディスク７は、図３Ａから図３Ｄに示されるような形状を取ってもよい。図３Ａでは、ディスク７の開口部７ａは小さい穴の形状である。図３Ｂでは、ディスク７の開口部７ａは短いスロットの形状である。図３Ｃでは、ディスク７の開口部７ａは長いスロットの形状である。図３Ｄでは、複数の開口部７ａが複数のスロットの形状でディスク７内に設けられる。
【００４５】
本発明の実施形態によると、回転ディスク７は平坦でなくてもよい。
【００４６】
本発明の実施形態によると、回転ディスク７は、付加的におよび／または代替的に突起部を有してもよい。例えば実施形態によれば、ディスク７は、（ディスク７の開口部の代わりに）それに据え付けられた短いチューブまたは他のタイプの開口部を有してもよい。
【００４７】
図４は、第１の真空チャンバ８および第２の真空チャンバ９を備える質量スペクトロメータの区域を表す本発明の実施形態を示す。直線状イオントラップ１０が第１の真空チャンバ８内に設置され、四重極質量フィルタ１１が第２の真空チャンバ９内に設置される。
【００４８】
２つの真空チャンバ８、９間の差動ポンピング開口部は、２つの真空チャンバ８、９間でオリフィス５ａを有する薄いプレート５により提供されるのが望ましい。開口部７ａを有する回転ディスク７は、薄いプレート５に近接して設けられるのが望ましい。２つの真空チャンバ８、９間の効果的なガスの流動開口部の領域を変化させるように、ディスク７を回転してもよい。
【００４９】
直線状イオントラップ１０をイオンを蓄積するのに使用してもよく、一方でディスク７によりオリフィス５を閉鎖し、ディスク７が移動または回転されて、それからディスク７内の開口部７ａと薄いプレート５内のオリフィス５ａが整列すると、オリフィス５ａを通してイオンを発するようオリフィス５ａを用意してもよい。好都合なことに、ガスの流動は減少するのが望ましく、イオンの数、および従って器具の感度を維持するのが望ましい。
【００５０】
望ましい装置がＭＡＬＤＩイオン源のようなパルスイオン源と共に使用されうる、さらなる実施形態が考えられる。イオンのパルス放出は、ディスク７およびオリフィス５ａの開口部の回転と同期させるのが望ましい。光学エンコーダまたは類似の装置を使用して、ディスク７の位置を正確に設定してもよい。
【００５１】
ディスクの連続回転の代わりに、オリフィス５ａを貫通した開口部を、例えば器具が使用されない間固定の開放または閉鎖状態に一時的に設定してもよいことも考えられる。
【００５２】
本発明は、回転ディスク閉鎖部材に限定されない。オリフィス５ａの前面で、直線状の構成要素を垂直方向および／または水平方向に移動しうる他の実施形態が考えられる。
【００５３】
代替的な実施形態で、開口部は、作動されるとき開口部の物理的寸法を変化させる絞りまたは他の機械的装置または構体を備えてもよい。代わりに、開口部は、圧縮またはそうでなければ変形されて開口部の領域を変化させるプラスチック／弾性チューブを備えてもよい。
【００５４】
開口部５ａの開放を下流イオントラップと同期させうることも考えられる。例えば、穴５ａを、下流イオントラップを予め定められた数のイオンで満たす定義された充填時間の間、または予め定められた時間の間のみ開放してもよい。
【００５５】
望ましい実施形態を、衝突／ガスセル、またはイオン移動度スペクトロメータと共に使用して、ガスの流動を制限してもよい。
【００５６】
本発明を望ましい実施形態に関連して記載したが、形態および詳細の種々の変更を、添付の請求項に記載する本発明の範囲から逸脱することなくなしうることを、当業者は理解するであろう。
【図１ａ】
0005984315.tif 000002
【図１ｂ】
0005984315.tif 000003
【図１ｃ】
0005984315.tif 000004
【図２Ａ】
0005984315.tif 000005
【図２Ｂ】
0005984315.tif 000006
【図３ａ】
0005984315.tif 000007
【図３ｂ】
0005984315.tif 000008
【図３ｃ】
0005984315.tif 000009
【図３ｄ】
0005984315.tif 000010
【図４】
0005984315.tif 000011